(57)【要約】【課題】意匠性を改善でき、商品の取り出し操作が容易なブリスター包装容器を提供する。【解決手段】ブリスター包装容器は、ヒンジ部２０でヒンジ式に開閉可能なベース部材１１及び透明なカバー部材２１と、ベース部材１１の第１の収容凹部１２に配置可能な内装体１と、この内装体の隆起部３に形成され、かつ被収容物品７が嵌め込み式に着脱可能な装着凹部５とを備えており、所定の形態を有する内装体１には着色及び／又は装飾が施されている。透明なカバー部材２１には第２の収容凹部２２が形成され、ベース部材１１及び透明なカバー部材２１には、懸垂状態で包装容器を吊り下げるための孔部１８，２８が形成されている。【選択図】図１
2015093674.tif 000002
【特許請求の範囲】
【請求項１】
被収容物品が配置可能なベース部材と、このベース部材に対して開閉可能であり、かつ被収容物品をカバー可能な透明なカバー部材とを備えた包装容器であって、前記ベース部材に配置可能な内装体と、この内装体に形成され、かつ被収容物品が着脱可能な装着部とを備えているブリスター包装容器。
【請求項２】
ベース部材に対してカバー部材がヒンジ式に開閉可能であり、内装体が、ベース部材に対して移動が規制された形態で配置可能であり、前記内装体が、装着部が形成された隆起部を備えている請求項１記載のブリスター包装容器。
【請求項３】
内装体の装着部が、被収容物品を嵌め込み式に収容可能な凹部で形成されている請求項１又は２記載のブリスター包装容器。
【請求項４】
内装体の装着部が、隆起部を横断する溝状に形成されている請求項１〜３のいずれかに記載のブリスター包装容器。
【請求項５】
内装体が、プラスチックで薄肉に成形され、周縁部から延びる起立壁と、この起立壁から隆起する隆起部２と、この隆起部２に形成され、かつ被収容物品が着脱可能に嵌合可能な凹部とを備えている請求項１〜４のいずれかに記載のブリスター包装容器。
【請求項６】
所定の形態を有する内装体に着色及び／又は装飾が施されている請求項１〜５のいずれかに記載のブリスター包装容器。
【請求項７】
ベース部材、内装体及びカバー部材のうち少なくともカバー部材が透明プラスチックで薄肉に成形されており；ベース部材に形成され、かつ内装体の移動が規制された形態で内装体が収容可能な第１の収容凹部と；カバー部材に形成され、かつ内装体の装着部に被収容物品が装着された状態で、内装体及び被収容物品をカバー可能な第２の収容凹部と；第１の収容凹部の周縁部と第２の収容凹部の周縁部とに形成され、かつ互いに凹凸嵌合可能な嵌合部とを備えている請求項１〜６のいずれかに記載のブリスター包装容器。
【請求項８】
ベース部材に対するカバー部材の閉じ状態において、包装容器を懸垂するためのフック部又は孔部を備えている請求項１〜７のいずれかに記載のブリスター包装容器。
【発明の詳細な説明】
【技術分野】
【０００１】
本発明は、意匠性（装飾性）が高く、商品価値を高めるのに有用なブリスター包装容器に関する。
【背景技術】
【０００２】
商品の包装容器として、陳列棚などから延びる支持棒に対して孔部を挿入して垂下した状態で陳列され、かつ開閉可能なブリスター容器が広く利用されている。このブリスター容器は、互いにヒンジ式に開閉可能なベース及びカバー部材と、ベース及びカバー部材から延びる延出部に形成され、かつ商品を収容した閉じ状態で、支持棒に掛止可能な掛止孔部とを備えている。
【０００３】
ブリスター包装容器に関し、実用新案登録第３０５６１１８号公報（特許文献１）には、被包装物の形状に応じた収納凹部を形成したブリスターベースと、前記収納凹部に収納した被包装物を覆って前記ブリスターベースに重ね合わされるブリスターカバーとを備え、前記ブリスターベースの周面（周壁）の少なくともその一部に、係止用凹溝を形成し、前記ブリスターカバーの周面（周壁）下端部に、折り返されて、前記係止用凹溝内に挿入される係止フラップを形成したブリスターパッケージが記載されている。実開平５−６５８７１号公報（特許文献２）には、物品を保持可能な主体部と、透明合成樹脂成形体から構成され、前記主体部と組合わせて前記主体部に保持されている物品を覆うカバーとを備え、前記カバーの表面に傷つき防止用の突部を局部的に形成した包装用ケースが記載されている。この文献には、カバーの係止用折返しに台紙を係合させることにより、凹部に商品を保持して主体部を装着し、カバーの上部の吊下げ用開口と台紙の上部の吊下げ用開口を棒状の吊下げ具に挿通して吊下げることも記載されている。
【０００４】
また、３つの部材でブリスター包装容器を形成することも提案されている。例えば、実開平２−２３３６８号公報（特許文献３）には、被包装物を収容する薄肉状に突出したブリスタ部が形成されたブリスタ成形シートと、前記ブリスタ部の高さ以上の厚さを有し、ブリスタ部を収容できる孔部が形成されたベースと、このベースの孔部にブリスタ部を挿入してブリスタ部の開口側を被覆する裏蓋シートとを備えたブリスタ包装容器が開示されている。
【０００５】
さらに、収容物品の形態に対応した収納部を有するプリスター包装容器も知られている。例えば、実公平７−１２３０６号公報（特許文献４）には、印鑑の透明収納部と注文先の宛先人を記載した郵送紙片とで構成した郵送体と、前記郵送紙片の上端に連接され、かつ注文を記載した注文控紙片とからなる印鑑パッケージが記載され、郵送紙片と注文控紙片との連接部で折り曲げて折りたたんだ状態で両者の下端をシールし、郵送紙片および注文控紙片の上端に穿設した掛止孔を利用して吊り下げ展示することが記載されている。また、特許第４０３８８０１号公報（特許文献５）には、合成樹脂から成形した容器本体と蓋体とからなる卵包装用容器であって、前記容器本体が、周形状が略長方形状の平坦面に、卵を横向きに寝かした状態で下半部を面接触して収容可能な曲面状の収容凹部と、略長方形状の平坦面の外周に形成された環状突条部と、この環状突条部の最外縁から外方に向けて突出したフランジ部とを備えており、蓋体が、容器本体のフランジ部と重合するフランジ部と、環状突条部を受け入れる嵌合段部とを備えており、前記収容凹部に外面側に向かって突出する水平載置姿勢維持突起が形成された卵包装用容器が記載されている。
【０００６】
収納物品を支持しつつ包装するブリスター包装容器も知られている。例えば、実開昭６１−４５３５７号公報（特許文献６）には、台紙と、この台紙に一体に包装される水栓具と、この水栓具を被覆して保持するとともに前記台紙に一体化される透明樹脂製カバーと、このカバー内で水栓具を支持するスペーサとを備えた包装体が記載されている。また、特開２００２−３７０７７０号公報（特許文献７）には、台紙と、この台紙に取り付けられるカバーとを具備し、台紙とカバーとの間に物品収納部が形成されるブリスターパックにおいて、前記台紙は、前記物品収納部において、台紙主面と、台紙主面から物品収納部内に隆起する第１の支持面とを有し、前記カバーは、前記物品収納部において、前記台紙主面に対して対向するカバー主面と、前記第１の支持面に対応する位置に形成され、かつカバー主面から物品収納部内に隆起した第２の支持面とを有し、前記第１及び第２の支持面により、物品収納部内で、包装対象物品（テープロール）を支持しつつ、包装対象物品と台紙主面及びカバー主面との間に隙間を形成するブリスターパックが記載されている。
【０００７】
さらには、吊り下げ部に特色を有するブリスター包装容器も知られている。例えば、実用新案登録第３１６２２２３号公報（特許文献８）には、端部に吊り下げ部を備え、本体部と蓋部とを折り曲げ（閉じ）て商品を収納するための空間を形成する吊り下げ式包装体において、前記吊り下げ部が、湾曲した一対の湾曲部（左右逆方向のフック形状の湾曲部）の重ね合わせ（又は交差）により挿通孔を形成する吊り下げ式包装体が記載されている。
【０００８】
しかし、これらの包装容器は、いずれも、台紙などのベースに対して物品を配置し、透明なカバー部材で覆ってベースと一体化した形態を有している。そのため、透明なカバー部材を通じて物品を視認できるものの、台紙以外に装飾要素及びデザイン要素がないため、収容する物品の意匠性を高めることができない。また、ベース及びカバー部材に装飾を施して意匠性を高めることも可能であるが、ベース及びカバー部材の構造が複雑化する。さらに、被収容物品によっては、容器内での保持が困難な場合がある。さらには、ベースとカバー部材とを周縁部で一体化しているため、ブリスター包装容器からの収容物品の取り出しが煩雑である。特に、シュリンク包装技術を利用してベースとカバー部材との間で商品を緊密に密着させて収容・包装すると、物品の取り出しがさらに煩雑となる。
【先行技術文献】
【特許文献】
【０００９】
【特許文献１】実用新案登録第３０５６１１８号公報（［請求項１］、図１）
【特許文献２】実開平５−６５８７１号公報（［請求項１］、［００１６］［００１７］、第１図）
【特許文献３】実開平２−２３３６８号公報（実用新案登録請求の範囲、第１図）
【特許文献４】実公平７−１２３０６号公報（［請求項１］［０００６］、図１）
【特許文献５】特許第４０３８８０１号公報（［請求項１］、図１）
【特許文献６】実開昭６１−４５３５７号公報（実用新案登録請求の範囲、第１図）
【特許文献７】特開２００２−３７０７７０号公報（［請求項１］、図５）
【特許文献８】実用新案登録第３１６２２２３号公報（［請求項１］〜［請求項３］、図３）
【発明の概要】
【発明が解決しようとする課題】
【００１０】
従って、本発明の目的は、意匠性を大きく改善でき、商品価値を高めるのに有用なブリスター包装容器を提供することにある。
【００１１】
本発明の他の目的は、商品の取り出し及び交換が容易なブリスター包装容器を提供することにある。
【００１２】
本発明のさらに他の目的は、簡単な構造で商品の意匠性を大きく改善できるとともに、開閉操作性並びに商品の脱着性に優れたブリスター包装容器を提供することにある。
【課題を解決するための手段】
【００１３】
本発明者らは、前記課題を達成するため鋭意検討した結果、ベース部材と透明なカバー部材とで被収容物品を収容可能で開閉可能な容器を形成し、この容器内に、被収容物品を嵌め込み式に着脱可能に装着した内装体を収容すると、この内装体の形態及び装飾により、意匠性を大きく向上できること、内装体から被収容物品を容易に取り出すことができることを見いだした。本発明はこれらの知見に基づいてさらに検討を加え、完成したものである。
【００１４】
すなわち、本発明のブリスター包装容器は、被収容物品が配置可能なベース部材と、このベース部材に対して開閉可能であり、かつ被収容物品をカバー可能な透明なカバー部材とを備えている。さらに、包装容器は、前記ベース部材に配置可能な内装体と、この内装体に形成され、かつ被収容物品が着脱可能な装着部（例えば、被収容物品が着脱可能な装着凹部、嵌め込み式に着脱可能な装着部）とを備えている。
【００１５】
このような包装容器では、ベース部材とカバー部材との間に内装体が介在するため、内装体の形態及び装飾により、容器の意匠性を改善できる。さらに、被収容物品（商品など）が内装体に対して着脱可能であるため、ベース部材とカバー部材とを開放して、被収容物品の取り出し操作も容易である。さらには、内装体の交換も容易であり、種々の被収容物品を包装できる。
【００１６】
ベース部材に対してカバー部材はヒンジ式に連結されて開閉可能であってもよい。前記内装体は、ベース部材に対して移動が規制された形態で配置可能であってもよい。さらに、前記内装体は隆起部を備えていてもよく、この隆起部には、被収容物品が着脱可能な装着部（例えば、嵌め込み式に着脱可能な装着部）を形成してもよい。この内装体の装着部は、被収容物品を嵌め込み式に着脱可能な装着部であってもよい。また、装着部は、被収容物品を収容又は装着可能な凹部で形成してもよく、隆起部を横断して溝状などに形成してもよい。
【００１７】
内装体は、通常、プラスチックで薄肉に成形され、周縁部から延びる起立壁と、この起立壁から隆起する隆起部と、この隆起部に形成され、かつ被収容物品が着脱可能に嵌合可能な凹部とを備えている。意匠性を高めるため、所定の形態を有する内装体には着色及び／又は装飾を施してもよい。
【００１８】
より具体的には、ブリスター包装容器は、ベース部材、内装体及びカバー部材のうち少なくともカバー部材が透明プラスチックで薄肉に成形してもよく；ベース部材には、内装体の移動が規制された形態で内装体が収容可能な第１の収容凹部を形成してもよく、；カバー部材には、内装体の装着部に被収容物品が装着された状態で、内装体及び被収容物品をカバー可能な第２の収容凹部を形成してもよく；第１の収容凹部の周縁部と第２の収容凹部の周縁部とには、互いに凹凸嵌合可能な嵌合部を形成してもよい。例えば、第１の収容凹部の周縁部に形成された凸条部と、第２の収容部の周縁部に形成された凹溝部とを備えており、凸条部と凹溝部とが嵌合可能であってもよい。
【００１９】
なお、ブリスター包装容器は、支持棒などから懸垂状態で係止するための係止部を有していてもよい。例えば、ベース部材に対するカバー部材の閉じ状態において、包装容器を懸垂するためのフック部又は孔部を備えていてもよい。
【発明の効果】
【００２０】
本発明では、ベース部材とカバー部材との間に介在する内装体を利用して、容器の意匠性を改善し、商品の購買意欲を喚起できる。特に、内装体の形態、着色及び／又は装飾により、意匠性を大きく改善できる。さらに、被収容物品（商品など）を内装体に保持できるとともに、被収容物品が内装体に対して着脱可能であるため、ベース部材とカバー部材とを開放して、被収容物品の取り出し操作も容易である。さらに、内装体を交換するだけで、種々の被収容物品を包装できる。そのため、ベース部材、カバー部材及び内装体という簡単な構造で商品の意匠性を改善できるとともに、開閉操作性並びに商品の脱着性を改善できる。
【図面の簡単な説明】
【００２１】
【図１】図１は本発明のブリスター包装容器を示す概略分解斜視図である。
【図２】図２は図１の容器のベース部材とカバー部材との嵌合構造を示す部分概略斜視図である。
【図３】図３は内装体と被収容物品との関係を示す概略斜視図である。
【図４】図４は図１の容器の吊り下げ部を示す概略斜視図である。
【発明を実施するための形態】
【００２２】
以下に添付図面を参照しつつ本発明を詳細に説明する。図１〜図４に示す例において、ブリスター包装容器は、ハート型の内装体１と、この内装体を収容可能であり、かつ透明プラスチックで薄肉に成形されたベース部材１１とカバー部材２１とを備えており、ベース部材１１とカバー部材２１とはヒンジ部２０を介してヒンジ式に開閉可能である。なお、ヒンジ部２０にはミシン目が形成されている。
【００２３】
前記内装体１は、ハート型の形態で、起立周壁２の上端周縁部から外方向（前方向）に膨出して隆起した隆起部３と、この隆起部の横方向の中央部（ハート型の上部括れ部に対応する部位）で縦方向に延びる谷状部４と、前記隆起部３に対して斜め方向に延びる断面Ｕ字状の装着溝５と、前記隆起部３の周縁部（起立周壁２の下端周縁部）から外方向に延出したフランジ部６とを備えている。なお、前記装着溝５には、棒状の被収容物品（この例では、化粧品）７が嵌め込み式に着脱可能である。
【００２４】
前記ベース部材１１は、内装体１のフランジ部６に対応したハート型の第１の収容凹部１２と、この収容凹部の周縁部に形成された断面コ字状の立設壁１３と、立設壁の外壁に周方向に間隔をおいて形成され、かつ内方向に窪んだ凹溝部１４と、前記立設壁１３の外縁から延びるフランジ部１５とを備えている。また、ベース部材１１のヒンジ部側には、前記第１の収容凹部よりも深い凹部壁１６が形成されているとともに、立設壁１３には棒状の被収容物品７に対応する凹状段部（被収容物品の端部を収容可能な溝状凹部）１７が形成されている。なお、凹部壁１６には縦方向に延びる複数の補強リブ１６ａが形成されており、ヒンジ部２０側を下にして包装容器を立設させるための、脚部として機能させることができる。
【００２５】
前記カバー部材２１には、前記第１の収容凹部１２に対応してハート型の第２の収容凹部２２が形成され、この第２の収容凹部は、前記内装体１に対応して、外方向（前方向）に膨出しているとともに、横方向の中央部（ハート型の上部括れ部に対応する部位）で縦方向に窪んで延びる谷状部２３を備えている。さらに、第２の収容凹部２２からは、棒状の被収容物品７に対応する断面Ｕ字状の溝状凹部（被収容物品の端部を収容可能な溝状凹部）２４が延びている。さらには、第２の収容凹部２２の周縁部から立ち上がる起立壁２５と、この起立壁に形成され、前記ベース部材１１の立設壁１３の凹溝部１４に対して嵌合可能な凸条部２６と、前記起立壁２５の外縁から延びるフランジ部２７とを備えている。
【００２６】
さらに、ベース部材１１のフランジ部１５及びカバー部材２１のフランジ部２７には、それぞれ、重ね合わせ状態（又は閉じ状態）で、陳列棚などから延びる支持棒に挿通して包装容器を係止するための孔部１８，２８が形成されている。
【００２７】
このようなブリスター包装容器では、内装体１の隆起部３に形成された装着溝５に被収容物品７を嵌め込んだ状態で、ベース部材１１の第１の収容凹部１２に収容することにより、内装体１のフランジ部６が立設壁１３と接触可能であるため、ベース部材１１に対して移動が規制された形態で内装体１を配置可能である。また、棒状の被収容物品７の端部は、ベース部材１１の立設壁１３の凹状段部１７、カバー部材２１の断面Ｕ字状の溝状凹部２４に収容可能である。そのため、包装容器内で内装体１及び被収容物品７が移動するのを規制でき、被収容物品７を有効に保護できる。
【００２８】
また、ベース部材１１の立設壁１３に形成された凹溝部１４と、カバー部材２１の起立壁２５に形成された凸条部２６とを嵌合することにより、閉じ状態でベース部材１１とカバー部材２１とを一体化でき、フランジ部１５及びフランジ部２７を重ね合わせた状態で、孔部１８，２８を支持棒（図示せず）に挿通することにより包装容器を係止させて吊り下げることができる。なお、支持棒には、複数の包装容器の孔部１８，２８を挿通して吊り下げることができる。この吊り下げ状態（陳列状態）では、ハート型の形態を有する内装体１に棒状の被収容物品７が斜め方向に横断した形態で装着されているため、斬新で被収容物品７が際立った印象を与え、意匠性及び商品価値を高めることができる。また、支持棒から取り出して凹溝部１４と凸条部２６との嵌合を開示して包装容器を開くと、内装体１に対して棒状の被収容物品７が着脱可能であるため、内装体１の装着溝５から被収容物品７を容易に取り出すことができる。さらに、内装体１を、他の被収容物品（例えば、香水、口紅などの化粧品、スティック状などの電子記録媒体など）を装着した新たな内装体に交換することも容易であり、種々の被収容物品の包装に対応できる。
【００２９】
なお、本発明の包装容器は、ベース部材と、このベース部材に対して開閉可能であり、かつ被収容物品をカバー可能な透明なカバー部材と、前記ベース部材とカバー部材との間に収容可能な内装体とを備えていればよい。また、前記ベース部材には内装体を介して被収容物品が配置可能であってもよい。
【００３０】
前記ベース部材に配置可能な内装体には、被収容物品が着脱可能な装着部を有する限り特に制限されず、所定の形態の内装体には着色及び／又は装飾を施し、意匠性を高めてもよい。内装体の着色は、被収容物品の種類などに応じて、例えば、赤色、ピンク色、橙色、黄色、緑色、青色などであってもよく、金属色（金色、銀色など）であってもよい。また、光沢を有していてもよく、光沢のないマット状、又は半マット状であってもよい。さらに、内装体の形態は、例えば、平面形状が、多角形状、星形状、ハート状、リング状などであってもよく、立体形状が、ボックス状［側壁及び／又は上部壁に平滑又は平坦なボックス状、側壁及び／又は上部壁に凹凸部が形成されたボックス状など］、膨出状［湾曲して膨出した膨出状（球面状など）、多面で屈曲しながら膨出した多面体状など］であってもよい。さらには、内装体には、装飾、例えば、模様（彩色模様など）などを施してもよい。
【００３１】
被収容物品の装着部は、内装体の適所に形成でき、被収容物品を収容又は装着可能な凹部で形成できる。装着部は、例えば、嵌め込み式に着脱可能な装着部であってもよく、例えば、内装体の１又は複数の箇所で突出部又は隆起部を形成し、この突出部又は隆起部に装着部を形成してもよい。装着部は、内装体から突出して被収容物品を受け又は保持（若しくは把持）可能な突出部（保持部又は把持部）で形成してもよい。好ましい態様では、内装体は隆起部又は突出部と、この隆起部又は突出部に形成された装着凹部とを備えている。この装着凹部は、被収容物品の形態に応じて、陥没した形態で被収容物品を嵌め込み式に収容可能な凹部であってもよく、溝状（例えば、隆起部を所定方向に延びる溝状凹部）であってもよく、溝状凹部は隆起部を横断していてもよい。例えば、ＳＤカードなどの方形状の被収容物品では、方形状の装着凹部を形成でき、棒状の被収容物品（電池、化粧品など）では、溝状の装着凹部を形成してもよい。美容化粧品などの被収容物品では、美容化粧品のボトルの形態に対応した装着凹部を形成してもよい。
【００３２】
装着凹部は、被収容物品に対応した幅の壁面を有していてもよく、被収容物品よりも若干狭い幅の壁面を有していてもよい。このような壁面は互いに並行に形成してもよく、入り口側（開口部側）が若干狭まっていてもよく、若干拡がっていてもよい。例えば、装着凹部は、包装容器の弾性変形を利用して被収容物品を有効に保持するため、幅狭部により、開口部側が被収容物品の幅よりも若干狭まっていてもよい（例えば、開口部側が湾曲して又は直線状に傾斜してテーパー状に狭まっていてもよい）。なお、装着凹部の幅狭部は、凹部の壁面（対向壁など）に線状に連続して形成してもよく間隔をおいて形成してもよい。さらに、装着凹部の壁面には凹凸部を形成してもよい。
【００３３】
さらに、内装体は、プラスチックで薄肉に成形され、周縁部から延びる起立壁と、この起立壁から隆起する隆起部と、この隆起部に形成され、かつ被収容物品が着脱可能に嵌合可能な凹部とを備えていてもよい。
【００３４】
なお、被収容物品は、内装体の装着部に装着して保持できるが、必要であれば、被収容物品を装着部に装着した状態で、収容物品と内装体とを、軽度の接着性を有するシールで剥離可能に接着させてもよい。この場合、シールの形態及び装飾により、意匠性及び装飾性をさらに改善できる。
【００３５】
ベース部材は、通常、内装体を安定に収容するため、内装体の移動を規制するための規制部を備えているのが好ましい。この規制部は内装体の形態（形状）に応じて、内装体の周縁部の複数部位と係合可能な複数の係合部（又は係合壁）であってもよく、内装体の移動が規制された形態で内装体が収容可能な係合周壁であってもよい。この係合周壁は第１の収容凹部を形成してもよい。ベース部材も、必要であれば、ボックス状、膨出状などの凹部を有していてもよいが、ベース部材は、平坦な平坦部と、この平坦部に形成され、かつ第１の収容凹部を形成する係合壁（係合周壁）とを備えている場合が多い。ベース部材は、通常、内装体が配置可能な係合周壁（第１の収容凹部又は立設壁）と、この立設壁の外縁から延びるフランジ部とを備えているが、包装容器が吊り下げ可能である限り、前記フランジ部は必ずしも必要ではない。
【００３６】
なお、深い凹部壁１６は必ずしも必要ではないが、凹部壁１６により包装容器を載置状態で安定に支持できる。また、被収容物品の形態によっては前記凹状段部（被収容物品の端部などを収容可能な溝状凹部）１７は必ずしも必要ではない。
【００３７】
カバー部材は、ベース部材に対して開閉可能である限り、ベース部材と遊離可能であってもよいが、開閉操作性、取り扱い性などを改善するためにはヒンジ式に連結されて開閉可能であるのが好ましい。ヒンジ部は、前記ミシン目に限らず、慣用の方法、例えば、薄肉部などで形成してもよい。
【００３８】
カバー部材には、通常、内装体の装着部に被収容物品が装着された状態で、内装体及び被収容物品をカバー可能な第２の収容凹部が形成されている。この第２の収容凹部は、内装体及び被収容物品の種類や形態に応じて形成でき、通常、閉じ状態において、外方向（前方向）に膨出又は突出している。カバー部材は、第２の収容凹部の周縁部から立ち上がる起立壁と、前記起立壁の外縁から延びるフランジ部とを備えている場合が多いものの、包装容器が吊り下げ可能である限り、前記フランジ部は必ずしも必要ではない。
【００３９】
カバー部材は、ベース部材に対して閉じ状態を維持可能であればよく、ベース部材に対してカバー部材を閉じた状態で、閉じ手段（ステープル、粘着テープ、接着、熱溶着など）で閉じてもよい。好ましい態様では、ベース部材及びカバー部材は互いに嵌合可能である。ベース部材とカバー部材との嵌合は、第１の収容凹部の周縁部と第２の収容凹部の周縁部とに形成された嵌合部（凹凸嵌合部）で互いに凹凸嵌合可能である。この嵌合部は、凸部と凹部とで構成でき、通常、所定の嵌合強度を付与するため、凸条部と凹溝部とで構成できる。例えば、第１の収容凹部の周縁部（例えば、ベース部材１１の立設壁１３）に形成された凸条部（又は凹溝部１４）と、第２の収容部の周縁部（例えば、カバー部材の起立壁２５）に形成された凹溝部（又は凸条部２６）とで凹凸嵌合可能であってもよい。
【００４０】
なお、ベース部材、内装体及びカバー部材のうち少なくともカバー部材は透明プラスチックで成形されており、ベース部材及び内装体も透明であってもよい。これらの部材は、厚肉に形成してもよいが、通常、薄肉に成形される。透明なカバー部材は、例えば、ポリエチレンテレフタレートなどのポリアルキレンアリレート樹脂、ポリプロピレン系樹脂、ポリスチレン系樹脂などで形成できる。また、ベース部材及び内装体は、例えば、ポリスチレン系樹脂（ポリスチレン系樹脂、耐衝撃性ポリスチレン系樹脂、ゴムグラフトスチレン系樹脂）、ポリプロピレン系樹脂、前記ポリアルキレンアリレート樹脂などで成形できる。
【００４１】
さらに、支持棒に対して包装容器を懸垂するためのフック部又は孔部は、必ずしも必要ではないが、包装容器の適所に形成でき、ヒンジ部又は底部を有する包装容器では、通常、ヒンジ部又は底部に対して対向する部位（特に、対向するフランジ部）に形成する場合が多い。ベース部材に対するカバー部材の閉じ状態で、前記フック部又は孔部を形成すればよく、例えば、閉じ状態で互いに重なり合うベース部材及びカバー部材のフランジ部に、フック部や孔部を形成してもよく、ベース部材のフランジ部に一方の方向に鈎状に湾曲又は屈曲する係止片と、カバー部材のフランジ部に他方の方向に鈎状に湾曲又は屈曲する係止片とでフック部又は孔部を形成してもよい。
【００４２】
さらに、必要であれば、包装容器内には台紙を配してもよい。例えば、台紙の上に内装体を配置した状態で、ベース部材とカバー部材とで内装体を収容してもよい。また、台紙のくり抜き部に内装体を配置し、内装体を取り囲んだ状態で、内装体の周囲に台紙を配してもよいを巻き込ませて内装体を覆ってもよい。さらに、包装容器（ベース部材及び／又はカバー部材）、内装体には、種々のシールを貼ってもよい。
【産業上の利用可能性】
【００４３】
本発明は、被収容物品を装着した内装体により意匠性を大きく改善できる。そのため、種々の物品、例えば、電池（リチウムイオン電池、乾電池など）、記録媒体（ＳＤカード、ＵＳＢなどのチップ状又はスティック状記録媒体など）、化粧品（口紅、アイライナー、マスカラなどの棒状容器内に収容された化粧品、香水、美容水、乳液などのボトル内に収容された化粧品など）、筆記具（万年筆、ボールペン、シャープペンシルなど）、菓子などの包装に有効に利用できる。
【符号の説明】
【００４４】
１…内装体
３…隆起部
５…装着溝
７…被収容物品
１１…ベース部材
１２…第１の収容凹部
１３…立設壁
１４…凹溝部
２０…ヒンジ部
２１…カバー部材
２２…第２の収容凹部
２５…起立壁
２６…凸条部
１８，２８…孔部
【図１】
2015093674.tif 000003
【図２】
2015093674.tif 000004
【図３】
2015093674.tif 000005
【図４】
2015093674.tif 000006